(57)【特許請求の範囲】
【請求項１】
可動家具部（１０２）のレール（１）であって、
レールストラット（２）と、
前記可動家具部（１０２）の前方パネル（１０３）に前記レール（１）を固定するための、前記レールストラット（２）の一端（２１）に存在するパネル固定装置（３）とを含んでおり、
前記パネル固定装置（３）の取付部分（３１）は前記前方パネル（１０３）に固定接続できるものであり、
前記レールストラット（２）は少なくとも部分的に空洞であり、前記取付部分（３１）に対して移動可能に設計されており、
前記取付部分（３１）の方向に移動される前記レールストラット（２）が、前記パネル固定装置（３）を支え、覆い、
本レール（１）は前記パネル固定装置（３）を部分的に支えるためのスリーブ部（４）を有しており、前記スリーブ部（４）は前記レールストラット（２）の内部にほぼ完全に備えられ、
前記レールストラット（２）と前記スリーブ部（４）は、前記レールストラット（２）を前記スリーブ部（４）に固定するため、相互に対応するラッチ部（４３、２３）を有していることを特徴とするレール。
【請求項２】
前記パネル固定装置（３）の前記取付部分（３１）は、拡張接続手段（３２）によって前記前方パネル（１０３）に固定接続できることを特徴とする請求項１記載のレール。
【請求項３】
前記拡張接続手段（３２）は、前記パネル固定装置（３）の前記取付部分（３１）に対する前記レールストラット（２）の移動によって作動可能なことを特徴とする請求項２記載のレール。
【請求項４】
前記パネル固定装置（３）は少なくとも一つの結合部（３３）を有しており、前記拡張接続手段（３２）の拡張は前記結合部（３３）の旋回レバー（３４）の旋回運動によって作動されることを特徴とする請求項２記載のレール。
【請求項５】
前記スリーブ部（４）が、前記前方パネル（１０３）に対する前記スリーブ部（４）の受け部のための受け面（４１）を有していることを特徴とする請求項１記載のレール。
【請求項６】
前記スリーブ部（４）と前記パネル固定装置（３）は、前記スリーブ部（４）を前記パネル固定装置（３）へ固定するため、相互に対応するラッチ部（４２、５２）を有していることを特徴とする請求項１または５記載のレール。
【請求項７】
前記レールストラット（２）の前記相互に対応するラッチ部（４３、２３）と前記スリーブ部（４）は、連結および切り離しできることを特徴とする請求項１記載のレール。
【請求項８】
前記レールストラット（２）は一体形成されていることを特徴とする請求項１から７のいずれかに記載のレール。
【請求項９】
請求項１から８のいずれかに記載のレール（１）を少なくとも１本有する可動家具部（１０２）。
【請求項１０】
本レール（１）を前記可動家具部（１０２）の後壁（１０４）に固定するため、本レール（１）が、前記レールストラット（２）の他方端（２４）に後壁固定装置（６）を有しており、該後壁固定装置（６）はほぼ完全に、前記可動家具部（１０２）の内部空間側であって、前記後壁（１０４）の端面部分（１０５）に対応する本レール（１）の側部に提供されていることを特徴とする請求項９記載の可動家具部。
【請求項１１】
家具枠体（１０１）と、請求項１０記載の可動家具部（１０２）を少なくとも一つ含んだ家具（１００）。
【発明の詳細な説明】
【技術分野】
【０００１】
本発明は可動家具部のレールに関する。このレールは、レールストラット（支部材）と、可動家具部の前方パネルにレールを固定するため、レールストラットの一端に存在するパネル固定装置とを含んでおり、パネル固定装置の取付部分は前方パネルに固定式に接続できる。
【０００２】
本発明はさらに、以降で解説するような少なくとも一本のレールを備えた可動家具部にも関する。本発明はさらに、この特定の種類のレールを含んだ家具にも関する。
【背景技術】
【０００３】
従来技術に属する多種のレールが既に存在している。例えばＤＥ２９５０７８３４Ｕ１（１９９５年８月２４日）は、レールバーの一端で、そのレールバーにネジ固定される固定装着具を有する。この固定装着具は、切断縁の形態で尖った放射状に突出する突起部を有し、円錐状に細くなる固定ヘッドを有している。レールバーの前方パネルへの取り付けは、特には、固定ヘッドの下方傾斜面ラインが前方パネルの固定穴の壁部に当接する傾斜姿勢で、レールバーに予め取り付けられているが、端面にまで完全にネジ固定されていない固定ヘッドを固定基部に導入するように実行される。この位置で固定ヘッドは、ナイフの刃の形状に尖った放射状上方突出部が固定穴の反対側に配置された壁領域に係合しない程度にまで下方に移動しながら、固定穴へと完全に押し込まれることができる。固定ヘッドが固定穴に完全に押し込まれると、レールバーが水平姿勢へと旋回するが、この場合には固定ヘッドの自由端は上昇し、鋭利な突起部が固定穴の壁部内へ挿通されることで、固定穴に確固としたロック固定作用を提供している。レールバーを固定ヘッドのネジ溝軸でネジ込み方向に回転させることで、レールバーの端部は前方パネルの内側平坦側部に当接するまでネジ込まれ、まだそこに存在している可能性がある間隙は消滅する（ＤＥ２９５０７８３４Ｕ１の序文から引用）。
【０００４】
ＡＴ５０６７８３Ａ４（２００９年１２月１５日）には別なレールが解説されている。このレールは引出しの前方パネル用の組み込まれた傾斜調節部を有する。この構造ではレールは、レールストラットの調節および固定機構を覆うための移動可能なカバーキャップを有している。
【発明の概要】
【発明が解決しようとする課題】
【０００５】
本発明の目的は改良されたレールの提供である。
【課題を解決するための手段】
【０００６】
本発明によればこの目的は、レールストラットが少なくとも部分的に空洞であり、取付部分に対して移動可能に設計されており、取付部分の方向に移動されるレールストラットがパネル固定装置を受領し（支え）、覆うことで達成される。この方法では、レールの取り付け後、レールストラットのみが見え、その他の取付部分（例えばパネル固定装置）は見えないので、外観上美しいレールが達成できる。
【０００７】
本発明のさらなる有利な実施態様は従属請求項に記載されている。
【０００８】
パネル固定装置の取付部分を拡張接続手段によって前方パネルに固定式に接続できると特に有利である。前方パネルにおけるレールの堅固な保持は拡張接続手段によって達成できる。
【０００９】
１好適実施態様では、この拡張接続手段はパネル固定装置の取付部分に対するレールストラットの移動によって起動できる。レールストラットと前方パネルとの間に拡張接続を創出させるのに工具は不要である。
【００１０】
パネル固定装置が少なくとも一つの結合部を有することがさらに好適であり、拡張接続手段の拡張は結合部の旋回レバーの旋回動作によって提供される。これは、前方パネルへのレールの非常に単純で迅速な固定法を達成させる。
【００１１】
レールがパネル固定装置を部分的に受領する（支える）ためのスリーブ部を有することが特に有利であることが判明しており、このスリーブ部はほぼ完全にレールストラットの内部に提供される（備えられている）。スリーブ部の使用は、パネル固定装置とレールストラットとの間の安定した接触を可能にする。
【００１２】
スリーブ部が、前方パネルに対するスリーブ部の受け部のための受け面を有することが特に好適である。そうすれば、レールの装着時に前方パネルへの損傷を防ぐことが可能である。
【００１３】
この点において、パネル固定装置にスリーブ部を固定するため、スリーブ部とパネル固定装置とが相互に対応するラッチ部を有することが特に有利であることが証明されている。ラッチ部の使用は、スリーブ部のパネル固定装置への取り付けにおいて非常に迅速で単純な方法を提供する。
【００１４】
１好適実施態様では、レールストラットをスリーブ部に固定するため、レールストラットとスリーブ部は相互に対応するラッチ部を有している。そうすれば、レールストラットはスリーブ部に簡単に固定できる。
【００１５】
レールストラットとスリーブ部の相互に対応するラッチ部が、連結および脱連結（切り離し）できることが有利であることがさらに証明されている。この構造によって、レールストラットをスリーブ部から取り外すことができる。したがって、単純な作業でレールの損傷部分の取替えが可能になる。
【００１６】
レールストラットが一体型であると有利であることが証明されている。一体型レールストラットの使用によって、レールストラット自体の長時間の取付作業を回避することが可能になる。
【００１７】
レールを可動家具部の後壁に固定するため、レールが、レールストラットの他方端に後壁固定装置を有することが好適であることがさらに証明されており、この後壁固定装置はほぼ完全に、可動家具部の内部空間側であり、後壁の端面部分に対応するレールの側部に提供される。
【００１８】
特定形態において、保護は請求項１から１１のいずれかに記載の少なくとも１本のレールを有する可動家具部にも求められる。有利には、可動家具部は２本のレールを有している。
【００１９】
特許保護は、家具枠体と、請求項１２記載の少なくとも１つの可動家具部を含んだ家具にも求められる。好適にはこの場合、可動家具部は引出しの形態である。
【００２０】
本発明のさらなる詳細や利点は、図面に記載の実施例に関する詳細な説明によって以降でさらに詳述される。
【図面の簡単な説明】
【００２１】
【図１】可動家具部のレールの分解斜視図である。
【図２】図１の詳細図である。
【図３】未固定のレールを備えた引出しの斜視図である。
【図４】部分的に固定されているレールを備えた引出しの斜視図である。
【図５】固定されているレールを備えた引出しの斜視図である。
【図６ａ】レールの斜視図である。
【図６ｂ】図６ａの詳細図である。
【図７ａ】レールのない引出しの斜視図である。
【図７ｂ】図７ａの詳細図である。
【図８】家具枠体と引出しとを含んだ家具の斜視図である。
【発明を実施するための形態】
【００２２】
図１は、可動家具部１０２（図示せず）のレール１の分解斜視図である（図３から図５を参照）。
【００２３】
レール１は、レールストラット（レール支柱）２と、レール１を可動家具部１０２の前方パネル１０３（図示せず）に固定するため、レールストラット２の一端２１に存在するパネル固定装置３とを有している。この目的のため、パネル固定装置３は、前方パネル１０３に接続できる取付部分３１を有している。この構造では、取付部分３１の上には、結合レバー３４の貫通開口部３６に対応する結合スピンドル３５（図２）が提供されている。取付部分３１と結合レバー３４はこの場合、結合部３３を形成している。取付部分３１は、取付部分３１に対する結合レバー３４の旋回運動によって拡張または解放され、それによって前方パネル１０３との接続がそれぞれ提供または解除される。このような拡張接続は従来技術で既に知られており、もはや新規ではない（ＥＰ０６９８３５７Ａ１（１９９５年８月２１日）参照）。
【００２４】
組み立て状態では、パネル固定装置の結合レバー３４はガイド部５へと挿入されている。一方、ガイド部５は、スリーブ部４のラッチ部４２に対応するラッチ部５２を有している。一方、スリーブ部４は、レールストラット２のラッチ部２３に対応する別なラッチ部４３（この場合は貫通開口部の形態）をさらに有している。
【００２５】
この好適実施例では、レールストラット２は部位２２でほぼ完全に空洞であり、その内部にスリーブ部４、ガイド部５および結合レバー３４、さらに部分的に取付部分３１を収容する（図５参照）。
【００２６】
組立て中のレールストラット２または前方パネル１０３への損傷を防止するため、スリーブ部４は一端に、前方パネル１０３に当接する受け面４１を有している。
【００２７】
この場合、レールストラット２の対応するラッチ部４３と２３およびスリーブ部４は結合されるよう、または取り外されるように設計されている。このようにして、レールストラット２もまたスリーブ部４またはスリーブ部４に収容されているパネル固定装置３から取り外しができる。
【００２８】
図３は、前方パネル１０３と後壁１０４とを有する引出し１０２の斜視図である。レール１の取付部分３１は前方パネル１０３に既に挿入されているが、まだ固定されていない。固定は拡張接続手段３２によって実行され、それによってパネル固定装置３の取付部分３１が前方パネル１０３に固定的に接続される。拡張接続手段３２の拡張は、前方パネル１０３に対してパネル固定装置３を回転させることによって実行される。パネル固定装置３は、レールストラット２に予備装着されるように部分的に設計されている。その結果、拡張接続手段３２は、パネル固定装置３の取付部分３１に対するレールストラット２の移動によって起動（作動）される。図３は１本のレールだけを示しているが、実際には引出し１０２はそのようなレール１を２本有している。
【００２９】
レール１を、例えばネジ込み、押し込み、挿入または拡張だぼなどを手段とする異なる方法で前方パネル１０３に固定することもできることは理解できよう。
【００３０】
図４は、既に部分的に装着されているレール１を備えた引出し１０２を示している。この図ではパネル固定装置３の結合レバー３４が、取付部分３１の結合スピンドル３５により（を手段として）取付部分３１を広げているので、拡張接続手段３２は既に作動されており、それを前方パネル１０３に係留固定している。この時点ではパネル固定装置３はまだ部分的に見えており、レール１の取り付け作業はまだ完了していない。
【００３１】
図４に明示しているように、この場合には、レール１のレールストラット２は一体型である。複数の部材で構成することもできる。
【００３２】
拡張接続手段３２の拡張は、パネル固定装置３の結合部３３の旋回レバー３４の旋回運動によって達成されている。拡張接続手段３２を、例えば従来技術で既に知られているように、その長手軸周囲でのレールストラット２の回転などによる異なる方法で実施できることも想定内であることは理解できよう。
【００３３】
図５は引出し１０２の斜視図であり、レール１は適正な位置に完全に装着されている。レールストラット２は少なくとも部分的に空洞で、取付部分３１（図示せず）に対して移動可能に設計されているため、レールストラット２は取付部分３１の方向に移動されることができ、この場合はパネル固定装置３を完全に覆う。よって外観的に美的なレール１を提供し、レールストラット２がパネル固定装置３をそれ自身に収容するため、パネル固定装置３のための追加のカバーは必要ない。
【００３４】
後壁１０４側にあるレール１の端部２４には、図６ａに示すような後壁固定装置６が配置されている。この場合には、後壁固定装置６は可動家具部１０２の内部空間側であり、この場合、後壁１０４の端面部１０５に対応するレール１の側部に提供されている（図７ａと図７ｂ参照）。レールストラット２がパネル固定装置３上に押し付けられた後、後壁固定装置６によって、レールストラット２を後壁１０４の端面部１０５にクリップ留めすることができる。この方法で、レール１の迅速な取り付けを達成することができる。
【００３５】
図８は、家具枠体１０１と、その中に配置された引出しの形態である可動家具部１０２とを含んだ家具１００を示している。引出し１０２は２本のレール１をそれぞれ有している。
【図１】
0005897599.tif 000002
【図２】
0005897599.tif 000003
【図３】
0005897599.tif 000004
【図４】
0005897599.tif 000005
【図５】
0005897599.tif 000006
【図６ａ】
0005897599.tif 000007
【図６ｂ】
0005897599.tif 000008
【図７ａ】
0005897599.tif 000009
【図７ｂ】
0005897599.tif 000010
【図８】
0005897599.tif 000011